(57)【要約】【課題】廻り階段を含む階段において、踏板および蹴込板と側壁との交差部分を、より簡単な構造の化粧枠構造によって仕上げる。とくに、廻り階段の化粧仕上げがより少ないコストで行えるようにする。【解決手段】踏板２の側端上面を覆う帯状の第１面材１１と、蹴込板３の側端前面を覆う第２面材１２・１２Ａと、踏板２の側端前面に被せ付けられる踏板カバー１３・１３Ａ・１３Ｂと、第２面材１２・１２Ａの上端と踏板カバー１３との間の入り隅を覆う隅カバー１４とを有する。踏板カバー１３・１３Ａ・１３Ｂは、断面コ字状のプラスチック成形品で形成する。廻り階段部Ｔにおける踏板カバー１３Ａ・１３Ｂの前壁２２・２７は、踏板２の傾斜角度に合致して傾斜している。以て、側壁Ｗに対して傾斜配置される踏板２に踏板カバー１３Ａ・１３Ｂを共用できるようにする。【選択図】図５
2005133371.tif 000002
【特許請求の範囲】
【請求項１】
廻り階段部（Ｔ）と、廻り階段部（Ｔ）の上下に連続する直線階段部（Ｓ）とを備えた階段に適用されて、踏板（２）および蹴込板（３）と左右の側壁（Ｗ）との交差部分に沿って配置される化粧枠構造であって、
踏板（２）の側端上面を覆う帯状の第１面材（１１）と、蹴込板（３）の側端前面を覆う第２面材（１２・１２Ａ）と、踏板（２）の側端前面に被せ付けられる踏板カバー（１３・１３Ａ・１３Ｂ）と、第２面材（１２・１２Ａ）の上端と踏板カバー（１３）との間の入り隅を覆う隅カバー（１４）とを含み、
踏板カバー（１３・１３Ａ・１３Ｂ）は、上壁（１６・２１・２６）と、前壁（１７・２２・２７）と、下壁（１８・２３・２８）とを一体に備えた断面コ字状のプスラチック成形品で形成されており、
廻り階段部（Ｔ）における踏板カバー（１３Ａ・１３Ｂ）の前壁（２２・２７）が、踏板（２）の傾斜角度に合致するよう傾斜していて、側壁（Ｗ）に対して傾斜配置される踏板（２）に踏板カバー（１３Ａ・１３Ｂ）を共用できる、廻り階段を含む階段用の化粧枠構造。
【請求項２】
第１面材（１１）と第２面材（１２）とが、同じ帯状材を所定長さに切断して形成してある請求項１記載の廻り階段を含む階段用の化粧枠構造。
【発明の詳細な説明】
【技術分野】
【０００１】
本発明は、廻り階段を含む階段に適用されて、踏板および蹴込板と側壁との間の交差部を覆い隠す階段用の化粧枠構造に関する。
【背景技術】
【０００２】
踏板および蹴込板を左右一対の側枠に固定した状態において、踏板および蹴込板と側壁との交差部に隙間が生じる。さらに、踏板を側枠に固定するためのビスや釘の頭部が、踏板の左右側端の表面に露出する。このような隙間やビス頭などを覆い隠すために、踏板および蹴込板と側壁との間の交差部を化粧枠で覆うことは公知である（例えば特許文献１、特許文献２参照）。
【０００３】
【特許文献１】特開２００１−１５９２１９号公報（段落番号０００８、図１）
【特許文献２】特開２００１−２７０２５号公報（段落番号００１０、図２）
【発明の開示】
【発明が解決しようとする課題】
【０００４】
建物における階段スペースを節約し、あるいは転倒事故を防ぐために、階段の中途部に廻り階段を設けることがある。この種の廻り階段は、階段の方向が９０度、あるいは１８０度折れ曲がるように構成され、その多くは２段廻り構造あるいは３段廻り構造になっている。廻り階段部分では、踏板の前縁が側壁に対して斜めになり、さらに２段廻りと３段廻りとで踏板の傾斜角度が異なる。そのため、踏板および蹴込板と側壁との交差部分を化粧材で覆って仕上げる場合には、直線階段用と２段廻り用と３段廻り用の化粧材が必要となり、仕上げ作業が煩雑化し、一連の作業に多くの手間とコストが掛かってしまう。
【０００５】
本発明の目的は、踏板および蹴込板と側壁との交差部分を、より少ない部品で構成した化粧枠構造によって仕上げることができ、従って廻り階段の化粧仕上げをより少ないコストで行える、階段用の化粧枠構造を提供することにある。本発明の目的は、廻り階段部分と、その上下に連続する直線階段部分との化粧枠のデザインを統一して階段全体の体裁を向上できる、階段用の化粧枠構造を提供することにある。
【課題を解決するための手段】
【０００６】
本発明は、廻り階段部Ｔと、廻り階段部Ｔの上下に連続する直線階段部Ｓとを備えた階段に適用されて、踏板２および蹴込板３と左右の側壁Ｗとの交差部分に沿って配置される化粧枠構造において、踏板２の側端上面を覆う帯状の第１面材１１と、蹴込板３の側端前面を覆う第２面材１２・１２Ａと、踏板２の側端前面に被せ付けられる踏板カバー１３・１３Ａ・１３Ｂと、第２面材１２・１２Ａの上端と踏板カバー１３との間の入り隅を覆う隅カバー１４とを含む。踏板カバー１３・１３Ａ・１３Ｂは、上壁１６・２１・２６と、前壁１７・２２・２７と、下壁１８・２３・２８を一体に備えた断面コ字状のプラスチック成形品で形成する。廻り階段部Ｔにおける踏板カバー１３Ａ・１３Ｂの前壁２２・２７は、踏板２の傾斜角度に合致するよう傾斜しており、側壁Ｗに対して傾斜配置される踏板２に踏板カバー１３Ａ・１３Ｂが共用できるようになっている（請求項１）。
【０００７】
第１面材１１と第２面材１２とは、同じ帯状材を所定長さに切断して形成することができる（請求項２）。
【発明の効果】
【０００８】
本発明では、第１面材１１と、第２面材１２・１２Ａと、踏板カバー１３・１３Ａ・１３Ｂ、および隅カバー１４で化粧枠構造を構成し、直線階段部Ｓでは、第１面材１１、第２面材１２、踏板カバー１３、および隅カバー１４を使用して階段を仕上げるようにした。また、廻り階段部Ｔでは、第１面材１１、第２面材１２Ａ、および踏板カバー１３Ａ・１３Ｂを使用して階段を仕上げるようにした。そのうえで、廻り階段部Ｔの踏板２に適用される踏板カバー１３Ａ・１３Ｂの前壁２２・２７を、踏板２の傾斜角度に合致して傾斜させることにより、踏板カバー１３Ａ・１３Ｂを廻り階段部Ｔの踏板２に共用できるようにした。
【０００９】
従って、本発明の化粧枠構造によれば、踏板２および蹴込板３と側壁Ｗとの交差部分をより少ない部品点数の化粧枠構造によって仕上げることができる。なかでも、廻り階段部Ｔの踏板２の化粧仕上げをより少ないコストで行えるうえ、廻り階段部Ｔとその上下に連続する直線階段部Ｓとの化粧枠のデザインを統一し、階段全体の外観上の印象をすっきりさせて体裁を向上できる（請求項１）。
【００１０】
第１面材１１と第２面材１２とが、それぞれ同じ帯状材を所定長さに切断して形成された化粧枠構造によれば、化粧枠の要素部品点数を削減して、階段の化粧仕上げに要するコストをさらに削減できる（請求項２）。
【発明を実施するための最良の形態】
【００１１】
図１ないし図１１は本発明に係る化粧枠構造の実施例を示す。図２において符号Ｔは廻り階段部、Ｓは直線階段部である。廻り階段部Ｔは３段廻り構造になっており、下階側の直線階段部Ｓに連続する踊場８から順に第１階段Ｔ１、第２階段Ｔ２、第３階段Ｔ３を経て、上階側の直線階段部Ｓに連続している。第１〜第３階段Ｔ１・Ｔ２・Ｔ３における、各踏板２の前縁どうしが挟む角度は３０度である。
【００１２】
図３において、階段は左右の側壁Ｗに固定される一対の側枠１と、側枠１に対して交互に締結固定される踏板２および蹴込板３と、踏板２および蹴込板３と側壁Ｗとの交差部分に配置される化粧枠構造とで構成する。建物躯体に固定される側枠１は、分厚い木板からなり、その上縁側に垂直の縦受面４と水平の横受面５とが交互に形成してある。
【００１３】
踏板２は、側枠１と同程度の厚みの木板からなり、その前部下面に蹴込板３を嵌め込むための溝６が長手方向の全長にわたって形成され、後部上隅に次段の蹴込板３を受け止める段部７が切り欠き形成してある。第１〜第３階段Ｔ１・Ｔ２・Ｔ３における踏板２の形状は、それぞれ異なっており、第２階段Ｔ２の踏板２の前縁と、第３階段Ｔ３の踏板２の前縁は、それぞれ側壁Ｗの壁面に対して斜めになっている（図２参照）。
【００１４】
化粧枠構造は、上下の直線階段部Ｓ、および第１階段Ｔ１に設けられる化粧枠構造と、廻り階段部Ｔの第２階段Ｔ２と第３階段Ｔ３に設けられる化粧枠構造とに大別できる。図１において直線階段部Ｓの化粧枠構造は、踏板２の側端上面を覆う帯状の第１面材１１と、蹴込板３の側端前面を覆う第２面材１２と、踏板２の側端前面に被せ付けられる踏板カバー１３と、第２面材１２の上端と踏板カバー１３との間の入り隅を覆う隅カバー１４とで構成する。
【００１５】
第１面材１１および第２面材１２は、木製またはプラスチック製の帯状の条材を、踏板２の奥行き寸法、および蹴込板３の高さ寸法に応じて切断して形成してあり、つまずきや引っ掛かりを避けるために、バリアフリーを満足できる厚みにしてある。多くの場合、第１面材１１および第２面材１２は予め所定の長さに切断して、踏板２や蹴込板３などの階段構成部品とともにキット化した状態で供給するが、作業現場でその都度切断して使用することもできる。
【００１６】
第１面材１１は踏板２に対して、第２面材１２は蹴込板３に対してそれぞれ接着固定する。そのために、両面材１１・１２の裏面側には、接着剤を受け入れる浅い溝が、長手方向に沿って形成してある。各面材１１・１２は隠し釘で固定してもよい。第１階段Ｔ１では、踏板２が台形状に形成されるので、その上面両側に配置される第１面材１１の長さが左右で異なり、第１面材１１の端部が第２階段Ｔ２の蹴込板３の傾斜に沿って斜めに切断してある。
【００１７】
踏板カバー１３は、上壁１６と、前壁１７と、下壁１８を一体に備えた断面コ字状のプラスチック成形品からなり、踏板２の両側端に接着固定されて踏板２と側壁Ｗとの間の隙間を隠す。上壁１６、前壁１７、下壁１８の内面にも、接着剤を受け入れる浅い溝が形成されている。踏板カバー１３の左右幅寸法Ｂ（図１１参照）は、先の両面材１１・１２の幅寸法と一致させてある。踏板カバー１３を踏板２に装着した状態においては、左右側端における出鼻の上下面および前面が上壁１６、前壁１７、下壁１８で覆われる。
【００１８】
隅カバー１４は縦断面がＬ字状のプラスチック成形品からなり、その一側縁に限って縁壁１９を張り出し形成してある（図１参照）。図３において隅カバー１４は、第２面材１２の上端と、踏板カバー１３の下壁１８の一部を覆う状態で接着固定する。
【００１９】
廻り階段部Ｔの第２階段Ｔ２と第３階段Ｔ３とに設けられる化粧枠構造は、直線階段部Ｓ用の化粧枠構造に類似しているが、第２面材１２Ａおよび踏板カバー１３Ａが異なっており、さらに第２階段Ｔ２の蹴込板３と側壁（階段柱）Ｗとの間の隙間を塞ぐ構造が異なる。
【００２０】
第２面材１２Ａは、３段廻り構造、および後述する２段廻り構造の廻り階段部Ｔで共用する。そのために、先に説明した第２面材１２に比べて広幅に形成してあり、図６に示すように裏面側に切断を容易化するための溝２０が形成してある。後述するように、２段廻り構造の廻り階段部Ｔでは第２面材１２Ａを広幅のままで使用し、３段廻り構造の廻り階段部Ｔでは溝２０に沿って第２面材１２Ａを切断し、幅寸法を小さくして使用する。裏面側には、接着剤を受け入れる浅い溝が長手方向に沿って形成されている。
【００２１】
図４および図５において踏板カバー１３Ａは、平行四辺形に形成される上壁２１および下壁２３と、両壁２１・２３の前縁どうしを繋ぐ前壁２２とを一体に備えた断面コ字状のプラスチック成形品からなり、第２階段Ｔ２の踏板２、および第３階段の踏板２の両側端に接着固定されて、踏板２の両側端と側壁Ｗとの間の隙間を隠す。上壁２１および下壁２３を平行四辺形に形成することにより、前壁２２と上下壁２１・２３の前後縁を、踏板２の前縁の傾斜角度（３０度）に合致して傾斜させることができる（図６、図７参照）。側壁Ｗに沿う上壁２１および下壁２３の側縁と、この側縁と平行な側縁との左右幅寸法Ｂ（図１１参照）は、第１面材１１の幅寸法に一致させてある。
【００２２】
第２階段Ｔ２の踏板２と階段柱側の側壁Ｗとは、踏板２に形成した直交状の切欠２４を介して接合する。図７に示すように切欠２４の片方の辺部に形成される隙間は、踏板カバー１３Ａの上壁２１で塞ぎ、他方の辺部に形成される隙間は、第１面材１１で塞ぐ。踏板カバー１３Ａの上壁２１と第１面材１１を整合よく連続させるために、上壁２１の後縁２１ａは斜めに切断し、この切断形状に合致して第１面材１１を斜めに切断している。
【００２３】
図８に示すように、第２階段Ｔ２の蹴込板３と階段柱側の側壁Ｗとの間には、三角形状の隙間が生じる。この隙間は、直線階段部Ｓ用の第２面材１２と、廻り階段部Ｔ用の第２面材１２Ａとを使用して塞ぐ。詳しくは、廻り階段部Ｔ用の第２面材１２Ａを、第１階段の踏板２に固定した第１面材１１に合わせて蹴込板３に接着したうえで、前者の第２面材１２を、その一側縁が第２面材１２Ａの表面に密着する状態で側壁Ｗに接着して、三角形状の隙間を塞いでしまう。図６において第２階段Ｔ２の踏板２の外回りは、直交状に接着される２個の第１面材１１で仕上げる。第３階段Ｔ３においては、踏板２の両側に踏板カバー１３Ａを接着し、幅狭に切断した第２面材１２Ａを蹴込板３に接着し、踏板２に第１面材１１を接着する。
【００２４】
上記構成の化粧構造によれば、直線階段部Ｓの踏板２および蹴込板３と側壁Ｗとの交差部分を、踏板カバー１３と、同じ素材からなる第１面材１１および第２面材１２と、隅カバー１４で仕上げることができる。廻り階段部Ｔの踏板２および蹴込板３と側壁Ｗとの交差部分は、第２階段Ｔ２、および第３階段Ｔ３に共用できる踏板カバー１３Ａと、第１面材１１と、第２面材１２Ａとで仕上げることができ、全体として化粧仕上げをより少ないコストで行えるうえ、廻り階段部Ｔと、その上下に連続する直線階段部Ｓとの化粧枠のデザインを統一できる利点もある。化粧構造が出っ張ることもない。
【００２５】
図９、図１０は廻り階段が２段廻り構造である場合の化粧枠構造を示す。そこでは、第１階段Ｔ１と第２階段Ｔ２とで廻り階段部Ｔが構成されており、第２階段Ｔ２の踏板２の前縁が側壁Ｗに対して４５度傾いている。第１階段Ｔ１は、基本的に直線階段部Ｓと同じ化粧枠構造で仕上げ、踏板２の内外の周縁は直交する２個の第１面材１１で仕上げる。第２階段Ｔ２の踏板２と蹴込板３は、それ専用の踏板カバー１３Ｂと、先に説明した広幅の第２面材１２Ａと、第１面材１１とで仕上げる。
【００２６】
図１０において第２階段Ｔ２これ専用の踏板カバー１３Ｂは、それぞれ平行四辺形に形成された上壁２６および下壁２８と、両壁２６・２８の前縁どうしを繋ぐ前壁２７とを一体に備えた断面コ字状のプラスチック成形品からなり、第２階段Ｔ２の踏板２の両側端に接着固定されて、踏板２の両側端と側壁Ｗとの間の隙間を隠す。上壁２６および下壁２８を平行四辺形に形成することにより、前壁２７と上下壁２６・２８の前後縁とを踏板２の前縁の傾斜角度（４５度）に合致して傾斜させることができる。側壁Ｗに沿う上壁２６および下壁２８の側縁と、この側縁と平行な側縁との左右幅寸法Ｂ（図１１参照）は、第１面材１１の幅寸法に一致させてある。図１１は各踏板カバー１３・１３Ａ・１３Ｂの平面形状を示す。他は先に説明したとおりであるので、同じ部材に同じ符号を付してその説明を省略する。
【００２７】
上記の実施例では、踊場８がある場合について説明したが、踊場８は省略することができる。本発明は、踏板２の前面が蹴込板３より出っ張っている構造の全ての階段構造に適用できる。踏板カバー１３・１３Ａ・１３Ｂは、右回り階段と左廻り階段のいずれにも共通して適用できる。必要があれば、第１面材１１と第２面材１２の隣接部分を隅カバー１４で覆うことができる。踏板２の段部７は省略することができ、その場合には、蹴込板３を踏板２の後端面にあてがって針やビスで固定する。
【図面の簡単な説明】
【００２８】
【図１】化粧枠構造を示す分解斜視図である。
【図２】３段廻り構造の廻り階段の平面図である。
【図３】階段構造を示す縦断側面図である。
【図４】廻り階段部における外縁周りの化粧枠構造を示す斜視図である。
【図５】廻り階段部における内縁周りの化粧枠構造を示す斜視図である。
【図６】廻り階段部における外縁周りの化粧枠構造を示す平面図である。
【図７】廻り階段部における内縁周りの化粧枠構造を示す平面図である。
【図８】図５におけるＡ−Ａ線断面図である。
【図９】２段廻り構造の廻り階段の平面図である。
【図１０】２段廻り構造の廻り階段における化粧枠構造を示す斜視図である。
【図１１】直線階段部用と、廻り階段部用の踏板カバーの平面図である。
【符号の説明】
【００２９】
２  踏板
３  蹴込板
１１  第１面材
１２・１２Ａ  第２面材
１３・１３Ａ・１３Ｂ  踏板カバー
１６・２１・２６  踏板カバーの上壁
１７・２２・２７  踏板カバーの前壁
１８・２３・２８  踏板カバーの下壁
Ｓ  直線階段部
Ｔ  廻り階段部
Ｗ  側壁
【図１】
2005133371.tif 000003
【図２】
2005133371.tif 000004
【図３】
2005133371.tif 000005
【図４】
2005133371.tif 000006
【図５】
2005133371.tif 000007
【図６】
2005133371.tif 000008
【図７】
2005133371.tif 000009
【図８】
2005133371.tif 000010
【図９】
2005133371.tif 000011
【図１０】
2005133371.tif 000012
【図１１】
2005133371.tif 000013